(57)【特許請求の範囲】
【請求項１】
屋根葺き材が設置された傾斜屋根の軒先部に別途軒樋を配置しないで設けられる軒先化粧部材であって、上方に向く上面側および軒下側から視認できる下面側を有しており、上記上面側には、最も軒先側に位置する屋根葺き材の軒先端部からの雨垂れを受け止める雨垂れ受け部が形成されており、上記下面側には、軒先方向に上り傾斜する傾斜部が形成されており、
上記雨垂れ受け部の軒先側には、軒先方向に上り傾斜する水受け傾斜部が形成されていることを特徴とする軒先化粧部材。
【請求項２】
請求項１に記載の軒先化粧部材において、上記水受け傾斜部は上記下面側の傾斜部の延長線上に形成されていることを特徴とする軒先化粧部材。
【請求項３】
屋根葺き材が設置された傾斜屋根の軒先部に別途軒樋を配置しないで請求項１または請求項２に記載の軒先化粧部材を備えた軒先構造であって、当該軒先化粧部材は最も軒先側に位置する屋根葺き材の軒先端部の雨垂れ箇所よりも屋内側に位置する軒先部において支持されており、上記雨垂れ受け部の軒先側が上記屋根葺き材の上記雨垂れ箇所よりも軒先方向に出ていることを特徴とする軒先構造。
【請求項４】
請求項３に記載の軒先構造において、上記軒先化粧部材の上記下面側の傾斜部の傾斜最下部が軒天板の下面よりも下側に位置することを特徴とする軒先構造。
【請求項５】
請求項３または請求項４に記載の軒先構造において、上記傾斜屋根に内樋を有することを特徴とする軒先構造。
【発明の詳細な説明】
【技術分野】
【０００１】
この発明は、軒先に雨樋を設けない軒先構造および軒先化粧部材に関する。
【背景技術】
【０００２】
特許文献１および特許文献２には、それぞれ、屋根の軒先の内側に設けられる内樋を備えた軒先構造が開示されている。
【０００３】
また、図６に示すように、屋根１００に内樋１０１を備えるとともに、軒先に平板状の軒先化粧板１０２を設ける軒先構造とすることが考えられる。
【先行技術文献】
【特許文献】
【０００４】
【特許文献１】特開平７−２７９３２９号公報
【特許文献２】特開２０００−２５７２２１号公報
【発明の概要】
【発明が解決しようとする課題】
【０００５】
しかしながら、図６に示した軒先構造では、軒先の雨樋を無くしたことで軒先の美観を向上できるものの、軒先の鋭利感による美観が得られないものであった。また、例えば、雨が上がった後において、上記内樋１０１よりも軒先側の屋根葺き材１０３上に在る雨水が、暫くの間滴下する状態が続くという問題もあった。
【０００６】
この発明は、上記の事情に鑑み、軒先において鋭利感のある美観が得られ、また、雨が上がった後における軒先での雨水の滴下を抑制できる軒先化粧部材および軒先構造を提供することを課題とする。
【課題を解決するための手段】
【０００７】
この発明の軒先化粧部材は、上記の課題を解決するために、屋根葺き材が設置された傾斜屋根の軒先部に設けられる軒先化粧部材であって、上面側には、最も軒先側に位置する屋根葺き材の軒先端部からの雨垂れを受け止める雨垂れ受け部が形成されており、下面側には、軒先方向に上り傾斜する傾斜部が形成されていることを特徴とする。
【０００８】
上記の構成であれば、上面側には、最も軒先側に位置する屋根葺き材の軒先端部からの雨垂れを受け止める雨垂れ受け部が形成されているので、雨が上がった後における軒先での雨水の滴下を抑制できる。また、下面側には、軒先方向に上り傾斜する傾斜部が形成されているので、軒先より屋外側となる位置で軒先を下から見るときに鋭利感のある外観が得られ易くなる。また、軒下から軒先方向に軒先化粧部材を見るときには、上記傾斜部が見え難くなるため、雨樋が設けられていない印象を受け易くなり、これによっても軒先の美観が向上する。
【０００９】
上記雨垂れ受け部の軒先側には軒先方向に上り傾斜する水受け傾斜部が形成されていてもよい。これによれば、受けた雨垂れがこぼれ落ちにくくなる。
【００１０】
上記水受け傾斜部は上記下面側の傾斜部の延長線上に形成されていてもよい。これによれば、上記水受け傾斜部と上記下面側の傾斜部とが視覚的に一体的な平板に見えるので、より美観が向上することになる。
【００１１】
側面視で略Ｖ字状をなす板部の上面側が上記雨垂れ受け部をなし、下面側が上記傾斜部をなしてもよい。このような構造でも、受けた雨垂れがこぼれ落ちにくくなる。
【００１２】
また、この発明の軒先構造は、上記のいずれかの軒先化粧部材が、最も軒先側に位置する屋根葺き材の軒先端部の雨垂れ箇所よりも屋内側に位置する軒先部において支持されており、上記雨垂れ受け部の軒先側が上記屋根葺き材の上記雨垂れ箇所よりも軒先方向に出ていることを特徴とする。
【００１３】
上記の構成であれば、上記軒先化粧部材により、傾斜屋根の軒先において、雨が上がった後における軒先での雨水の滴下を抑制でき、また、軒先の美観を向上することができる。
【００１４】
上記軒先化粧部材の上記下面側の傾斜部の傾斜最下部が上記軒天板の下面よりも下側に位置していてもよい。これによれば、上記軒先化粧部材が水切りとして機能し、雨水が軒天板に伝わるのを防止することができる。
【００１５】
上記傾斜屋根に内樋が設けられていてもよい。このような内樋屋根構造において、軒先での雨水の滴下抑制と、軒先における美観向上が図れることになる。
【発明の効果】
【００１６】
本発明であれば、軒先において美観を向上でき、また、雨が上がった後における軒先での雨水の滴下を抑制できるという効果を奏する。
【図面の簡単な説明】
【００１７】
【図１】本発明の実施形態に係る軒先構造を示した説明図である。
【図２】本発明の実施形態に係る２枚板からなる軒先化粧部材の端部分を示した概略の斜視図である。
【図３】図２の軒先化粧部材の２枚板を分離して示した側面視の説明図である。
【図４】同図（Ａ）および同図（Ｂ）は、他の実施形態の軒先化粧部材を示した側面視の説明図である。
【図５】他の実施形態の軒先構造を示した説明図である。
【図６】比較例として示した軒先構造の説明図である。
【発明を実施するための形態】
【００１８】
以下、この発明の実施の形態を添付図面に基づいて説明する。
図１に示すように、この実施形態に係る軒先構造では、内樋１（二点鎖線で示している）の配置箇所を境に傾斜屋根２が屋根構造部２１と軒先構造部２２に分断（縁切り）されている。上記傾斜屋根の勾配は４寸とされているが、これに限るものではなく、また、３寸から６寸の範囲とするのが望ましい。上記屋根構造部２１においては、一定間隔で垂木２１ａが設けられており、これら垂木２１ａ上に野地板４１がビス等により固定されている。また、この軒先構造において、上記屋根構造部２１の先端側部分から上記軒先構造部２２にかけての下方位置には、軒天板４４が水平に設けられている。
【００１９】
この実施形態では、軒桁（梁）２１１の中心から軒先端に設けられている軒先化粧部材７の先端までの距離は、１０００ｍｍよりも短くされており、例えば９８０ｍｍ程度とされている。また、図１においては、外壁６２の開口にサッシ窓６３が設けられており、居室側から上記サッシ窓６３越しに、居室内天井６１および上記軒天板４４が略同一高さで見えるようになっている。例えば、上記軒天板４４の配置高さは、上記居室内天井６１よりも上側とされ、高さの差異は、例えば、４０〜６０ｍｍ程度とされている。
【００２０】
上記軒先構造部２２によって、第１横桟３１および第２横桟３２が支持されている。上記第１横桟３１は、上記内樋１を収容する凹構造部２０の一部を形成する。また、上記第２横桟３２は、上記第１横桟３１よりも軒先側において上記野地板４１を支持する。また、上記屋根構造部２１を構成する上記垂木２１ａの小口に第３横桟３３が取り付けられており、上記第１横桟３１と、上記第３横桟３３と、これら第１横桟３１および第３横桟３３の下部に渡って設けられた底板４５とによって、上記凹構造部２０が構成されている。
【００２１】
上記第１横桟３１および上記第２横桟３２は、支持部材５（二点鎖線で示している）によって支持されている。上記支持部材５は、例えば、鋼等の金属、樹脂、木質材料等からなる。また、例えば、上記第１横桟３１は、上記支持部材５に溶接等により設けられた第１取付部５ａにビス等によって固定されており、上記第２横桟３２は、上記支持部材５に溶接等により設けられた第２取付部５ｂにビス等によって固定されている。
【００２２】
上記支持部材５は、上記軒桁２１１の屋外側の鉛直面に対向する取付板部５ｃを有しており、この取付板部５ｃを貫通するビス等が上記軒桁２１１の鉛直面にねじ込まれている。また、上記取付板部５ｃにはボルト５５の挿通孔が形成されており、上記軒桁２１１には上記ボルト５５が螺合されるボルト穴が形成されている。
【００２３】
上記内樋１の例えば下面の箇所には、図示しないストレーナーが設けられており、このストレーナーには上記軒天板４４の裏側に設けられた横引き樋が接続される。そして、この横引き樋には、上記軒天板４４を貫通して設けられた縦樋が接続される。
【００２４】
また、上記屋根構造部２１および軒先構造部２２上には、例えば、アスファルトルーフィングが敷かれ、この上に屋根葺き材（瓦、スレート等）４２が設けられる。この実施形態では、屋根葺き材４２として陶器瓦を用いている。最も軒先端の屋根葺き材４２の軒先端は、上記軒先化粧部材７が取り付けられる後述の軒先部Ｘよりも軒先側に突出するように配置されている。
【００２５】
上記軒先化粧部材７は、折り曲げによって立体的に形成されており、また、軒先の長手方向に長く形成されている。また、上記軒先化粧部材７の上面側には、最も軒先側に位置する屋根葺き材４２の軒先端部からの雨垂れを受け止める雨垂れ受け部７１が形成されており、下面側には、軒先方向に上り傾斜する傾斜部７２が形成されている。
【００２６】
上記軒先化粧部材７は、上記最も軒先側に位置する屋根葺き材４２の軒先端部の雨垂れ箇所よりも屋内側に位置する軒先部Ｘにおいて支持されており、上記雨垂れ受け部７１の軒先側の先端が上記屋根葺き材４２の上記雨垂れ箇所よりも軒先方向に出ている。上記軒先化粧部材７の軒先側の先端は、上記屋根葺き材４２の軒先端部における雨垂れ位置よりも軒先側に、例えば、３ｍｍ以上２０ｍｍ以内の範囲で出ているのが望ましく、また、５ｍｍ以上１５ｍｍ以内の範囲で出ているのがより望ましい。さらに、上記軒先化粧部材７の下面側の上記傾斜部７２の傾斜最下部７２ａは、軒天板４４の下面よりも下側に位置している。上記傾斜屋根２の軒先部Ｘは、この実施形態では、上記第２横桟３２、野地板４１、および軒天板４４の軒先側の端面により形成される。
【００２７】
上記傾斜部７２の傾斜角度は、軒先方向に仰角２８度とされているが、これに限るものではない。上記傾斜部７２の傾斜角度は、軒先方向に仰角１０度以上４５度以内とするのが望ましく、また、軒先方向に仰角２０度以上３５度以内とされるのがより望ましい。また、上記軒先化粧部材７の水平方向の幅寸法は、５０ｍｍ以上１００ｍｍ以内とするのが望ましく、また、６０ｍｍ以上８５ｍｍ以内とするのがより望ましい。また、上記軒先化粧部材７の最も上側となる部位と上記屋根葺き材４２の最も下側となる部位との距離は、５ｍｍ以上５０ｍｍ以内とするのが望ましく、また、１０ｍｍ以上３０ｍｍ以内とするのがより望ましい。
【００２８】
これらの寸法設定においては、基本的には、軒先より屋外側の位置において軒先を下から見るときに（図１の矢印Ａ参照）、上記屋根葺き材４２の裏面が上記軒先化粧部材７の傾斜部７２で隠されるのが望ましい。また、軒下から上記軒先化粧部材７を見るときに（図１の矢印Ｂ参照）、上記傾斜部７２が見え難くなるのが望ましい。
【００２９】
図２および図３に示すように、上記軒先化粧部材７は、上記雨垂れ受け部７１を有する第１部材７ａおよび上記傾斜部７２を有する第２部材７ｂの２枚板からなる。上記第１部材７ａおよび上記第２部材７ｂとして片面に色付けがされたカラー板材を用いる場合、上記第１部材７ａおよび上記第２部材７ｂは、色付け面を下に向けて設けられることになる。また、上記第１部材７ａおよび上記第２部材７ｂの色付け面の色は、例えば互いに同色とされてもよいし、また、上記軒天板４４の色や上記屋根葺き材４２の色と同系色とされてもよい。
【００３０】
上記第２部材７ｂには、上記傾斜最下部７２ａの箇所から立ち上がり、上記軒天板４４の端面に対面する立上部７２ｂと、この立上部７２ｂの上端から上記軒天板４４の裏面側に至る隠れ部７２ｃとが形成されている。上記立上部７２ｂの高さは上記軒天板４４の板厚よりも高くされる。また、上記第２部材７ｂには、上記隠れ部７２ｃを水平に位置させた状態で、上記野地板４１の傾斜に沿う支持部７２ｄが形成されている。
【００３１】
また、上記第１部材７ａには、上記支持部７２ｄに支持される本体部７１ａと、この本体部７１ａが上記支持部７２ｄに接した状態で、上記傾斜部７２と同角度で傾斜して当該傾斜部７２の軒先先端から突出する水受け傾斜部７１ｂとを有する。すなわち、上記雨垂れ受け部７１の軒先側には、軒先方向に上り傾斜する水受け傾斜部７１ｂが形成されており、この水受け傾斜部７１ｂは上記傾斜部７２の延長線上に位置している。また、上記本体部７１ａと上記水受け傾斜部７１ｂとの間に角度が付くことによって雨水溜めが形成されている。
【００３２】
上記軒先化粧部材７の第１部材７ａおよび第２部材７ｂは、例えば、上記本体部７１ａおよび上記支持部７２ｄに貫通して装着されるビス等によって上記野地板４１に固定される。
【００３３】
上記軒先化粧部材７であれば、その上面側には、最も軒先側に位置する屋根葺き材４２の軒先端部からの雨垂れを受け止める雨垂れ受け部７１が形成されているので、雨が上がった後における軒先での雨水の滴下を抑制できる。また、その下面側には、軒先方向に上り傾斜する傾斜部７２が形成されているので、軒先より屋外側となる位置で軒先を下から見るときに鋭利感のある美観が得られ易くなる。また、軒下から軒先化粧部材を見るときには、上記傾斜部７２が見え難くなるため、雨樋が設けられていない印象を受け易くなり、これによっても軒先の美観が向上する。
【００３４】
上記雨垂れ受け部７１の軒先側に軒先方向に上り傾斜する水受け傾斜部７１ｂが形成されていると、受けた雨垂れがこぼれ落ちにくくなる。もちろん、上記雨垂れ受け部７１の軒先側に軒先方向に上り傾斜する水受け傾斜部７１ｂが形成される構造に限られるものではなく、上記雨垂れ受け部７１をフラットに形成してもよい。
【００３５】
上記水受け傾斜部７１ｂは上記傾斜部７２の延長線上に形成されていると、上記水受け傾斜部７１ｂと上記傾斜部７２とが視覚的に一体的な平板に見えるので、より美観が向上することになる。もちろん、上記水受け傾斜部７１ｂは上記傾斜部７２の延長線上に形成される構造に限られるものではない。
【００３６】
また、この実施形態の軒先構造は、上記軒先化粧部材７が、屋根葺き材４２を支持する屋根面の延長線と軒天板の軒先端を通る水平線との交差する手前に位置させた軒先部Ｘに、上記雨垂れ受け部７１の軒先側が屋根葺き材４２の雨垂れ箇所よりも軒先方向に出るように取り付けられているので、上記傾斜屋根２の軒先において、雨が上がった後における軒先での雨水の滴下を抑制でき、また、軒先の美観を向上することができる。
【００３７】
上記軒先化粧部材７における上記傾斜部７２の傾斜最下部７２ａが軒天板４４の下面よりも下側に位置していると、上記軒先化粧部材７が水切りとして機能し、雨水が軒天板４４に伝わるのを防止することができる。
【００３８】
図４（Ａ）は、上記軒先化粧部材７の変形例である軒先化粧部材７Ａを示している。この軒先化粧部材７Ａは、１枚板が折り曲げられることによって、上記雨垂れ受け部７１および上記傾斜部７２が形成されている。また、この軒先化粧部材７Ａにおいては、上記傾斜部７２の軒先側の先端部を折り返すことで、上記水受け傾斜部７１ｂが形成され、さらに、この折り反しの端側で曲げ形成された上向き傾斜部分７１ｃを、上記野地板４１に固定することができる。また、この軒先化粧部材７Ａにおいても、上記下面側の傾斜部７２の延長線上に上記水受け傾斜部７１ｂが形成されたことになり、上記水受け傾斜部７１ｂと上記下面側の傾斜部７２とが視覚的に一体的な平板に見える。
【００３９】
図４（Ｂ）は、上記軒先化粧部材７の変形例である軒先化粧部材７Ｂを示している。この軒先化粧部材７Ｂは、１枚板が折り曲げられることによって、側面視で略Ｖ字状をなす板部７４と、上向き傾斜部分７１ｃとが形成されている。そして、上記板部７４の上面側が上記雨垂れ受け部７１をなし、下面側が上記傾斜部７２をなしている。このような構造でも、受けた雨垂れがこぼれ落ちにくくなる。なお、この軒先化粧部材７Ｂにおいては、上記雨垂れ受け部７１の先端側が何処にも繋がらないので、厚めの１枚板を用いて剛性を高くしておくのが望ましい。
【００４０】
図５は、この発明の他の実施形態にかかる軒先構造を示している。この軒先構造は、切妻タイプの傾斜屋根のケラバ部４８において構成される。ケラバ部４８の軒先端の位置は、最も軒先に位置する屋根葺き材４２の先端位置と略同位置とされる。
【００４１】
また、傾斜屋根２の入隅となる箇所では、上記軒先化粧部材７が鉤形状に連続して設置される。
【００４２】
また、上記軒先化粧部材７、７Ａの傾斜部７２は、軒天板４４の端から直ぐに傾斜する形状であったが、これに限らず、軒天板４４の端から例えば水平に続く水平部位を有し、この水平部位に続いて上記傾斜部７２が形成される形状を有していてもよい。また、上記軒先化粧部材７、７Ａは、略中空の立体形状を有するように軒先部に固定される構造のため、その板厚を薄くすることができるが、これに限らず、板厚を厚くして略Ｖ字形状等に折り曲げられた形状とすることもできる。
【００４３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４４】
１      ：内樋
２      ：傾斜屋根
５      ：支持部材
５ａ    ：第１取付部
５ｂ    ：第２取付部
５ｃ    ：取付板部
７      ：軒先化粧部材
７Ａ    ：軒先化粧部材
７Ｂ    ：軒先化粧部材
７ａ    ：第１部材
７ｂ    ：第２部材
２０    ：凹構造部
２１    ：屋根構造部
２１ａ  ：垂木
２２    ：軒先構造部
３１    ：第１横桟
３２    ：第２横桟
３３    ：第３横桟
４１    ：野地板
４２    ：屋根葺き材
４４    ：軒天板
４５    ：底板
４８    ：ケラバ部
５５    ：ボルト
６１    ：居室内天井
６２    ：外壁
６３    ：サッシ窓
７１    ：受け部
７１ａ  ：本体部
７１ｂ  ：水受け傾斜部
７１ｃ  ：上向き傾斜部分
７２    ：傾斜部
７２ａ  ：傾斜最下部
７２ｂ  ：立上部
７２ｃ  ：隠れ部
７２ｄ  ：支持部
７４    ：板部
Ｘ      ：軒先部
【図１】
0006687351.tif 000002
【図２】
0006687351.tif 000003
【図３】
0006687351.tif 000004
【図４】
0006687351.tif 000005
【図５】
0006687351.tif 000006
【図６】
0006687351.tif 000007